(57)【特許請求の範囲】
【請求項１】
路側無線装置を介して車載器の特性とコンテンツ形式のコードを記憶したサプリメント情報を含む基本情報を受信する受信部と、
前記受信部により受信した前記基本情報に基づいて、ＵＲＬを含むコンテンツ情報を編成する制御部と、
前記制御部により編成された前記コンテンツ情報を前記車載器に送信する送信部と、
を備え、
前記制御部は、前記コンテンツ情報のコンテンツ形式と前記サプリメント情報からのコンテンツ形式とが同一のコードである場合は前記コンテンツ形式によるコンテンツ情報を編成し、前記コンテンツ情報のコンテンツ形式が前記サプリメント情報と少なくとも１以上のコードが同一である場合は前記サプリメント情報に近いコンテンツ形式のコンテンツ情報を編成し、前記コンテンツ情報のコンテンツ形式と前記サプリメント情報のコンテンツ形式とのコードとが異なる場合はテキストのコンテンツ情報を編成する
ことを特徴とする情報提供装置。
【請求項２】
前記コンテンツ情報に含まれる複数のコード化したコンテンツ形式を記憶する記憶部を備え、
前記コンテンツ情報のコンテンツ形式が異なる複数のコンテンツのテーブルを記憶する
ことを特徴とする請求項１に記載の情報提供装置。
【請求項３】
路側無線装置を介して車載器の特性とコンテンツ形式のコードを記憶したサプリメント情報を含む基本情報を受信する受信ステップと、
前記受信ステップにより受信した前記基本情報に基づいて、ＵＲＬを含むコンテンツ情報を編成する制御ステップと、
前記制御部により編成された前記コンテンツ情報を前記車載器に送信する送信ステップと、
を備え、
前記制御ステップは、前記コンテンツ情報のコンテンツ形式と前記サプリメント情報からのコンテンツ形式とが同一のコードである場合は前記コンテンツ形式によるコンテンツ情報を編成し、前記コンテンツ情報のコンテンツ形式が前記サプリメント情報と少なくとも１以上のコードが同一である場合は前記サプリメント情報に近いコンテンツ形式のコンテンツ情報を編成し、前記コンテンツ情報のコンテンツ形式と前記サプリメント情報のコンテンツ形式とのコードとが異なる場合はテキストのコンテンツ情報を編成する
ことを特徴とする情報提供方法。  
【発明の詳細な説明】
【技術分野】
【０００１】
本発明は、車載器の仕様に基づいた情報を受信することができる情報提供装置及び情報提供方法に関する。
【背景技術】
【０００２】
特許文献１によれば、路側無線装置から受信した情報をメモリに格納し、路側無線装置と通信できない環境においても、コンテンツ情報を再生できるようにしている。
【特許文献１】特開２００７−１０９０３２号公報
【発明の開示】
【発明が解決しようとする課題】
【０００３】
ところが、特許文献１に記載の発明では、取得した情報を車載器のメモリに格納することはできても、どのような形態のコンテンツ情報を車載器側で表示できるか分からないため、路側無線装置から受信したコンテンツ情報によっては表示できない形態のコンテンツ情報が含まれている場合がある。
【０００４】
本発明はこのような要望に対応するため、車載器の仕様に基づいたコンテンツ情報を受信することができる情報提供装置及び情報提供方法を提供することを目的とする。
【課題を解決するための手段】
【０００５】
本発明は、上述した従来の技術の課題を解決するため、路側無線装置を介して車載器の特性とコンテンツ形式のコードを記憶したサプリメント情報を含む基本情報を受信する受信部と、前記受信部により受信した前記基本情報に基づいて、ＵＲＬを含むコンテンツ情報を編成する制御部と、前記制御部により編成された前記コンテンツ情報を前記車載器に送信する送信部と、を備え、前記制御部は、前記コンテンツ情報のコンテンツ形式と前記サプリメント情報からのコンテンツ形式とが同一のコードである場合は前記コンテンツ形式によるコンテンツ情報を編成し、前記コンテンツ情報のコンテンツ形式が前記サプリメント情報と少なくとも１以上のコードが同一である場合は前記サプリメント情報に近いコンテンツ形式のコンテンツ情報を編成し、前記コンテンツ情報のコンテンツ形式と前記サプリメント情報のコンテンツ形式とのコードとが異なる場合はテキストのコンテンツ情報を編成する
ことを特徴とする情報提供装置を提供する。
【０００６】
また、上記の情報提供装置において、前記コンテンツ情報に含まれる複数のコード化したコンテンツ形式を記憶する記憶部を備え、前記コンテンツ情報のコンテンツ形式が異なる複数のコンテンツのテーブルを記憶することが好適である。
【０００８】
また、上記の情報提供装置において、路側無線装置を介して車載器の特性とコンテンツ形式のコードを記憶したサプリメント情報を含む基本情報を受信する受信ステップと、前記受信ステップにより受信した前記基本情報に基づいて、ＵＲＬを含むコンテンツ情報を編成する制御ステップと、前記制御部により編成された前記コンテンツ情報を前記車載器に送信する送信ステップと、を備え、前記制御ステップは、前記コンテンツ情報のコンテンツ形式と前記サプリメント情報からのコンテンツ形式とが同一のコードである場合は前記コンテンツ形式によるコンテンツ情報を編成し、前記コンテンツ情報のコンテンツ形式が前記サプリメント情報と少なくとも１以上のコードが同一である場合は前記サプリメント情報に近いコンテンツ形式のコンテンツ情報を編成し、前記コンテンツ情報のコンテンツ形式と前記サプリメント情報のコンテンツ形式とのコードとが異なる場合はテキストのコンテンツ情報を編成することを特徴とする情報提供方法を提供する。  
【発明の効果】
【０００９】
本発明の情報提供装置及び情報提供方法によれば、車載器の仕様に基づいたコンテンツ情報を受信して、ユーザに確実にコンテンツ情報を提供することができる。
【図面の簡単な説明】
【００１０】
【図１】ＤＳＲＣを用いた情報提供システムの全体構成を示すブロック図である。
【図２】図１における路側無線装置４０Ａ，４０Ｂの構成例を示す図である。
【図３】図１における車載器２０の具体的構成例を示す図である。
【図４】図１における情報提供サーバ６０の具体的構成例を示すブロック図である。
【図５】図１における車載器２０と情報提供サーバ６０との間で行われる路車間通信のトランザクションを示す図である。
【図６】図１に基づいた情報提供サーバ６０から車載器２０への送受信処理を説明するフロー図である。
【図７】コンテンツのクライアントインフォメーションデータに含まれるサプリメントインフォ情報の一例を示す図である。
【図８】ＩＰコンテンツが使用するコンテンツ形式を示す図である。
【図９】図７に示すサプリメントインフォ情報のＩＰコンテンツ対応状況の一例を示す図である。
【図１０】路側無線装置４０Ａ，４０Ｂおよび情報提供サーバ６０でのコンテンツ編成処理を説明するフロー図である。
【図１１】路側無線装置４０Ａ，４０Ｂおよび情報提供サーバ６０で設定するコンテンツテーブルを示す図である。
【図１２】車載器２０で受信するコンテンツ情報の一例を示す図である。
【発明を実施するための最良の形態】
【００１１】
以下、本発明の情報提供装置、情報提供方法及び情報提供システム１０の実施形態について、添付図面を参照して説明する。本実施形態においては、ＤＳＲＣ（Dedicated Short Range Communications：狭域通信）を用いた情報提供システム１０を利用して、ユーザに確実にコンテンツ情報を提供する例を示している。本発明はＤＳＲＣを利用したものに限定されるものではない。
【００１２】
［通信システム１の構成］
図１はＤＳＲＣを用いた通信システム１０の全体構成を示している。図１に示すように、通信システム１０は、情報提供サーバ６０と、路側無線装置４０Ａ，４０Ｂまたは無線アクセスポイント４０Ｃよりなる無線装置３と、車両１００に搭載された車載器２０とを含む。情報提供サーバ６０と路側無線装置４０Ａ，４０ＢとはＩＴＳ通信網１１０ａで接続されており、情報提供サーバ６０と無線アクセスポイント４０Ｃとは一般通信網１１０ｂで接続されている。
【００１３】
車載器２０はＤＳＲＣ通信機能を備えており、路側無線装置４０Ａ，４０Ｂまたは無線アクセスポイント４０Ｃと通信する。図１の例では、路側無線装置４０Ａは、ＤＳＲＣ専用の独自プロトコルにより車載器５及び情報提供サーバ６０と通信する。即ち、路側無線装置４０Ａによる通信は、ＩＰ（Internet Protocol）ではない非ＩＰ通信である。路側無線装置４０Ｂは、ＩＰにより車載器２０及び情報提供サーバ６０と通信（ＩＰ通信）する。無線アクセスポイント４０Ｃによる通信もＩＰ通信である。
【００１４】
路側無線装置４０Ａ，４０Ｂは道路、駐車場、道の駅等に設置されている。路側無線装置４０Ａ，４０Ｂの詳細については後述する。無線アクセスポイント４０Ｃは任意の場所に設置されている。一般通信網１１０ｂは、インターネット及びこれに接続された移動体通信網、無線ＬＡＮ（Local Area Network）等の任意の無線通信網である。
【００１５】
情報提供サーバ６０は、一般通信網１１０ｂを介して車載器２０からのコンテンツ情報の取得要求を受信すると、要求されたコンテンツ情報を車載器２０に送信する。情報提供サーバ６０が路側無線装置４０Ａを介して車載器２０に提供するコンテンツ情報は、たとえば、車両１００の周辺の店舗、駐車場、医療施設等の各種施設のサービス案内であり、以下、これらのコンテンツ情報を第１のコンテンツ情報と呼ぶ。また、情報提供サーバ６０が一般通信網１１０ｂを介して、もしくは路側無線装置４０Ｂを介して車載器２０に提供するコンテンツ情報は、車載器２０でＷｅｂページを表示するためのＨＴＭＬ（Hyper Text Markup Language）ファイルや、Ｗｅｂ（World Wide Web）ページを介して提供される画像情報、音楽情報等のマルチメディアコンテンツ等であり、以下、これらのコンテンツ情報を第２のコンテンツ情報と呼ぶ。
【００１６】
［路側無線装置４０Ａ，４０Ｂの構成］
図２を用いて、路側無線装置４０Ａ，４０Ｂの構成例について説明する。図２に示すように、路側無線装置４０Ａ，４０Ｂは本体装置４０ａとアンテナ４０ｂとを備える。アンテナ４０ｂは、道路脇、道路上方、駐車場、道の駅等に設置されている。路側無線装置４０Ａ，４０Ｂは、アンテナ４０ｂより到達距離が限定されたＤＳＲＣの電波を放射して近傍に路側エリアＺを形成する。本体装置４０ａは、路側エリアＺ内にある車両１００の車載器２０とだけ双方向の狭域無線通信が可能である。ＤＳＲＣは５．８ＧＨｚ帯域の電波を使った通信方式であり、その通信範囲は例えば数メートルから数十メートルである。
【００１７】
路側無線装置４０Ａ，４０Ｂ及び図１では図示していない他の路側無線装置を含めて、路側無線装置からのＤＳＲＣの送信出力はいずれも同じ程度に設定されているので、複数の路側無線装置それぞれが形成する路側エリアＺは設置場所に関係なくほぼ一定である。路側無線装置４０Ａ，４０Ｂと車載器２０間の狭域無線通信を路車間通信と称する。
【００１８】
本体装置２１は、図示していないＣＰＵ（Central Processing Unit），ＲＯＭ（Read Only Memory），ＲＡＭ（Random Access Memory），ＨＤＤ（Hard Disk Drive）等を備えたコンピュータ端末で構成されている。本体装置４０ａは、アンテナ４０ｂを介して車載器２０から受信された情報を、ＩＴＳ通信網１１０ａを介して情報提供サーバ６０に転送し、情報提供サーバ６０から送信された第１または第２のコンテンツ情報を車載器２０へ転送する。本体装置４０ａは、情報処理や通信制御を行う制御部、記憶部等を備えたコンピュータ端末を適用することができる。
【００１９】
路側無線装置４０Ａの本体装置４０ａの制御部は、ＤＳＲＣ専用のプロトコルにより車載器２０との通信制御を行う。路側無線装置４０Ｂの本体装置４０ａの制御部は、車載器２０の通信環境に合わせ、インターネットプロトコルまたはＤＳＲＣ専用のプロトコルにより車載器２０との通信制御を行う。
【００２０】
［車載器２０の構成］
図３を用いて、車載器２０の具体的構成例について説明する。図３に示すように、車載器２０は、主制御部２１，ＤＳＲＣ通信部２２，ナビゲーション部２３を備える。以下、具体的に説明する。
【００２１】
主制御部２１は、ＣＰＵがＲＯＭに記憶されている各種のプログラムやＨＤＤ等の記憶部に記憶されている各種のデータをＲＡＭに読み出して演算することにより、ＤＳＲＣ通信部２２とナビゲーション部２３とを制御する。ＤＳＲＣ通信部２２は、アンテナ２２Ａ，送受信／変復調部２２Ｂ，ＤＳＲＣ制御部２２Ｃ，ＤＳＲＣ−ＡＳＬ（Application Sub-Layer）処理部２２Ｄ，メモリ部２２Ｅ，情報処理部２２Ｈを備える。
【００２２】
アンテナ２２ＡはＤＳＲＣの電波を受信して所定の電気信号に変換する。送受信部／変復調部２２Ｂは、「ＡＲＩV  ＳＴＤ−Ｔ７５」に準拠したインタフェース（ＤＳＲＣプロトコルの物理層に相当するインタフェース）を実装している。また、送受信部／変復調部２２は、受信した電波をデジタル変調／復調する機能（ＡＳＫ／ＱＰＳＫ）を有する。ＤＳＲＣ制御部２２Ｃは、ＤＳＲＣプロトコルのデータリンク層およびアプリケーション層に相当するインタフェースを実装し、路側無線装置４０Ａ，４０Ｂと５．８ＧＨｚ帯の無線通信を行う。また、ＤＳＲＣ制御部２２Ｃは、送信されてきたデータのフレーム内に含まれる識別子（ＥＩＤ）により車載器２０内の対応するアプリケーションを特定し、ＤＳＲＣ−ＡＳＬ処理部２２Ｄを制御する。
【００２３】
ＤＳＲＣ−ＡＳＬ処理部２２Ｄは、基本アプリケーション処理およびセキュリティプラットフォームを提供する通信インタフェースを実装し、車載器２０にインストールされている各アプリケーションプログラムと路側無線装置４０Ａ，４０Ｂとの間でＤＳＲＣ−ＡＳＬによる通信制御を行う。
【００２４】
上述した送受信部／変復調部２２Ａ、ＤＳＲＣ制御部２２ＣおよびＤＳＲＣ−ＡＳＬ処理部２２Ｄは、ＩＰ（Ｉｎｔｅｒｎｅｔ  Ｐｒｏｔｏｃｏｌ）を用いた、いわゆるＩＰ系通信と、ＩＰを用いずその他の通信プロトコルで通信制御を行う、いわゆる非ＩＰ系通信のそれぞれに対して通信インタフェースを提供する。
【００２５】
ＤＳＲＣ−ＡＳＬ処理部２２Ｄは、ＩＰ系通信を用いるアプリケーションに対しては、ＰＰＰ制御プロトコル（ＰＰＰＣＰ）、ＬＡＮ制御プロトコル（ＬＡＮＣＰ）およびＴＣＰ／ＩＰにより通信制御を行う。一方、ＤＳＲＣ−ＡＳＬ処理部２２Ｄは、非ＩＰ系通信を用いるアプリケーションに対しては、拡張通信制御プロトコル（ＡＳＬ−ＥＬＣＰ）、ローカルポート制御プロトコル（ＬＰＣＰ）、ローカルポートプロトコル（ＬＰＰ）により通信制御を行う。具体的には、ＤＳＲＣ−ＡＳＬ処理部２２Ｄは、ＡＳＬ−ＥＬＣＰ（拡張通信制御プロトコル）上のＡＳＬ−ＮＣＰ（ネットワーク制御プロトコル）を識別するための接続点を設けており、特定のアプリケーションを識別する。
【００２６】
たとえば、ＩＰ系通信を用いるアプリケーションから路側無線装置４０Ｂの後述する無線通信部４１（図４参照）へデータを送信する場合には、各プロトコルによりポート番号，ＩＰアドレス，ＭＡＣアドレス，アクセス点識別子，ＥＩＤ，ＬＩＤを識別子として、アプリケーションが生成したアプリケーションデータへ順番に追加してパケットフレームが生成される。一方、路側無線装置４０Ｂの無線通信部４１からアプリケーションへデータが送信されてきた場合には、ＤＳＲＣ−ＡＳＬ処理部２２Ｄは、パケットフレーム内に含まれるＬＩＤ，ＥＩＤ，アクセス点識別子，ＭＡＣアドレス，ＩＰアドレス，ポート番号を各プロトコルにより順番に識別して、そのデータの送信先であるアプリケーションを特定することができる。
【００２７】
また、非ＩＰ系通信を用いるアプリケーションから路側無線装置４０Ａの無線通信部４１へデータを送信する場合には、ローカルポート番号，アクセス点識別子，ＥＩＤ，ＬＩＤを識別子として、アプリケーション３が生成したアプリケーションデータに順番に追加してパケットフレームが生成される。一方、路側無線装置４０Ａの無線通信部４１から非ＩＰ系通信を用いるアプリケーションへデータが送信されてきた場合には、ＤＳＲＣ−ＡＳＬ処理部２２Ｄは、パケットフレーム内に含まれるＬＩＤ，ＥＩＤ，アクセス点識別子，ローカルポート番号を各プロトコルにより順番に識別して、そのデータの送信先であるアプリケーションを特定することができる。なお、従来のＥＴＣは、他のアプリケーションによってＥＩＤにより識別することができる。
【００２８】
このように、ＤＳＲＣ通信部２２が構成されていることによって、車載器２０は、従来のＥＴＣやＥＭＶクレジットなどの非ＩＰ系通信を用いるアプリケーションのみならず、インターネット上で使用されるＩＰ系通信を用いるアプリケーションとの通信が可能となることによって、より多様なサービスを車載器２０において利用することができる。
【００２９】
メモリ部２２Ｅは、図示を省略しているが、ＣＰＵが実行する基本的なプログラムを格納しているＲＯＭ、記憶部、ＣＰＵが演算処理を実行する際に、演算途中のプログラムまたはデータを一時的に記憶するＲＡＭ等を備える。また、メモリ部２２Ｅは、路側無線装置４０Ａ，４０Ｂから送信されてきた各種のサービス情報を蓄積する。メモリ部２２Ｅには、アップリンク用情報生成プログラム２２Ｆとナビゲーション制御プログラム２２Ｇとが格納されている。なお、車載器２０から無線装置４０Ａ，４０Ｂを介して情報配信サーバ６０へと情報を送信することをアップリンクといい、情報配信サーバ６０から無線装置４０Ａ，４０Ｂを介して車載器２０へと情報を送信することをダウンリンクという。
【００３０】
アップリンク用情報生成プログラム２２Ｆは、メモリ部２２Ｅ内のアップリンクタグエリアと称される特定の記憶領域にユーザ所望の情報を取得するための情報を格納している。アップリンク用情報生成プログラム２２Ｆは、アップリンクタグエリアに格納された情報に基づいて情報配信サーバ６０から情報を配信させるためのプログラムである。主制御部２１は、後述するナビゲーション制御部２３Ａを制御してナビゲーション制御プログラム２３Ｇを実行させる。
【００３１】
クライアントインフォメーション生成部２２Ｇは、メモリ部２２Ｅ内の特定の領域に設けられている。クライアントインフォメーションデータには、通信エリアＺ内に位置している車載器２０が再生可能なサービス情報の種類や、車載器２０が搭載するコンテンツ再生アプリケーション等の情報が含まれている。また、車載器２０が対応可能な言語情報、ナビゲーション部２３が有する測地系情報（日本または世界の測地系情報）、対応可能なＤＲＭ（Digital Rights Management）、表示部２３Ｇの解像度、蓄積可能なデータ量等もサプリメントインフォメーションとしてクライアントインフォメーションデータと合わせて記憶されている。
【００３２】
情報処理部２２Ｈは、非ＩＰ系通信およびＩＰ系通信に対応したインタフェースを提供する機能を有する。具体的には、ＩＰ系通信に用いるＤＳＲＣ応用サービスに対応するためのＨＴＴＰ（Hyper Text Transfer Protocol）ブラウザ（例えばHTML4.01，CSS1及びCSS2）、ＩＰ系／非ＩＰ系通信に用いるＤＳＲＣ応用サービスに対応するための文字コーデック（例えばJIS，UNICODE）、音声コーデック（例えばTTS，MP3）、画像コーデック（例えばJPEG，GIF）、動画コーデック（例えばMPEG4）等を搭載している。
【００３３】
ナビゲーション部２３は、ナビゲーション制御部２３Ａ，入力処理部２３Ｂ，画像処理部２３Ｃ，高精度測位計測部２３Ｄ，ナビゲーションデータ保持部２３Ｅ，操作部２３Ｆ，表示部２３Ｇを備える。ナビゲーション制御部２３Ａは、ＣＰＵがメモリ部２２Ｅに記憶されているナビゲーション制御プログラム２２ＧをＲＡＭに読み出して実行する。
【００３４】
ナビゲーション制御部２３Ａは、情報提供制御機能および情報収集機能を制御する。情報提供制御機能は、非ＩＰ系通信への対応として，優先表示，情報提供判断および情報蓄積等の情報提供を制御する機能である。情報収集機能は、ナビゲーション部２３が保持又は蓄積している車両内情報を，ＤＳＲＣ通信部２２を通してアップリンクする機能、すなわち、路側無線装置４０Ａ，４０Ｂへ送信する機能である。
【００３５】
入力処理部２３Ｂは、ユーザが操作部２３Ｆの釦やリモコンによる操作などの入力を処理する。画像処理部２３Ｃは、表示部２３Ｇに画像等の各種のデータを表示するようデータを処理して表示部２３Ｇに供給する。高精度測位計測部２３Ｄは、例えばＧＰＳ（Global Positioning System）受信機、ジャイロセンサ等を有し、それらにより測位計測を行って車両４の位置を常に把握する。高精度測位計測部２３Ｄは、ＧＰＳ以外の他の準天頂衛星を利用してもよい。
【００３６】
ナビゲーションデータ保持部２３Ｅは、高精度測位計測部２３Ｄによる車両１００の位置にマッチングした現在地の地図データを提供する機能を有する。また、ナビゲーションデータ保持部２３Ｅは、目的地まで誘導できる地図データを提供することができる。操作部２３Ｆは、例えば、車載器２０の本体に設けられた各種の釦や表示部２３Ｇに設けられたタッチパネルである。操作部２３Ｆは、リモートコントローラであってもよい。表示部２３Ｇは、地図やＤＳＲＣ応用サービスに対応した各種の案内を表示する。ここでは図示していないが、車載器２０がスピーカを備え、スピーカによって音声案内を行ってもよい。
【００３７】
［情報提供サーバ６０の構成］
図４を用いて、図１における路側無線装置４０と情報提供サーバ６０の具体的構成例について説明する。図４に示すように、路側無線装置４０は、無線通信部４１、通信制御部４２、記憶部４３、制御部４４、ＲＯＭ４５、ＲＡＭ４６、システムバス４７を備える。情報提供サーバ６０は、入力部６１、出力部６２、第１の通信制御部６３、第２の通信制御部６４、記憶部６５、制御部６６、ＲＯＭ６７、ＲＡＭ６８、システムバス６９を備える。
【００３８】
無線通信部４１は、アンテナ４０ｂを含む部分で、電波信号、光信号等の無線信号により路側無線装置４０Ａ，４０Ｂの近傍を通過する車両１００に設置された車載器２０との間で情報を交信する。たとえば、無線通信部４１は、情報提供サーバ６０から提供された交通情報や広告などのデータを車載器２０に送信する。また、無線通信部４１は、車載器２０から送信されてくる車両ＩＤ等の情報を受信する。
【００３９】
通信制御部４２は、ＩＴＳ通信網１１０ａを介して情報提供サーバ６０に接続され、情報提供サーバ６０から送信される交通情報や広告などのデータを受信して記憶部４３に格納する。また、車載器２０から取得した情報を情報提供サーバ６０に送信する。
【００４０】
記憶部４３は、情報提供サーバ６０から受信した交通情報や広告などのデータを格納する。制御部４４は、ＣＰＵ等から構成され、路側無線装置４０全体の動作を制御する。たとえば、制御部４４は、記憶部４３に格納されているデータを、無線通信部４１を制御して車載器２０にプッシュ配信する。制御部４４は、無線通信部４１により車載器２０から取得した情報を記憶部４３に格納する。また、制御部４４は、トラフィックカウンター（図示せず）などを用いて路側無線装置４０の周辺の交通情報を生成して記憶部４３に格納し、ＩＴＳ通信網１１０ａを介して情報提供サーバ６０に送信することもできる。
【００４１】
ＲＯＭ４５は、路側無線装置４０Ａ，４０Ｂ全体の動作制御に必要なＯＳ（Operating System）や、制御部４４が実行する各種動作を行うためのプログラムを格納している。ＲＡＭ４６は、制御部４４のワークエリアとして機能する。システムバス４７は、上記各部の間で命令やデータを転送するための伝送経路である。
【００４２】
続いて、情報提供サーバ６０のハードウエア構成と各部の動作について説明する。情報提供サーバ６０は、路側無線装置４０Ａ，４０Ｂにサービス事業者から提供される地域情報や広告情報などを提供するサーバである。なお、図１における情報提供サーバ６０は、便宜上１つのサーバとして図示しているが、必ずしも一つである必要はなく、複数の情報提供サーバ６０としてもよい。
【００４３】
入力部６１は、キーボード、マウス、タッチパネル等の入力インタフェースである。ユーザは、入力部６１によってデータや指示を入力する。出力部６２は一例として表示部であり、各種のデータやメッセージを表示する。
【００４４】
第１の通信制御部６３は、電話回線、インターネット等の一般通信網１００ｂを介して外部装置と交信し、種々の情報を取得する機能を有する。第２の通信制御部６４は、ＩＴＳ通信網１００ａを介して１つまたは複数の路側無線装置４０Ａ，４０Ｂに接続され、路側無線装置４０Ａ，４０Ｂに交通情報を送信する機能を有する。また、第２の通信制御部６４は、ＤＳＲＣ専用のネットワークであるＩＴＳ通信網１００ａを介して、路側無線装置４０Ａ，４０Ｂが車載器２０との交信などにより得た情報を収集する機能を有する。
【００４５】
記憶部６５は、ＨＤＤ（Hard Disk Drive）、フラッシュメモリを用いたＳＳＤ（Solid State Drive）、ＤＶＤやブルーレイディスク等を用いた光ディスクドライブ等の任意の記憶装置であればよい。また、記憶部６５は、各路側無線装置４０Ａ，４０Ｂの位置、アドレス等と共にその近傍の地理情報を記憶する機能を有する。
【００４６】
制御部６６は、記憶部６５又はＲＯＭ６７に格納されているプログラムに応じて、各種演算処理を実行するとともに、装置の各部を制御する。制御部６６は、記憶部６５に格納されている各種情報に基づいて、各路側無線装置４０Ａ，４０Ｂに、その路側無線装置４０Ａ，４０Ｂ近傍から配信する情報を作成し、第２の通信制御部６４およびＩＴＳ通信網１００ａを介して路側無線装置４０Ａ，４０Ｂに供給する機能を有する。この制御部６６は、車載器２０が備える通信環境や路側無線装置４０Ａ，４０Ｂが備える通信環境を判断し、その通信環境に合ったコンテンツやＵＲＬなどの情報を車載器２０に送信する。
【００４７】
ＲＯＭ６７は、情報提供サーバ６０全体の動作制御に必要なＯＳや、制御部６６が実行する各種動作を行うためのプログラムを格納している。ナビゲーション制御プログラムはＲＯＭ６７に格納されている。ＲＡＭ６８は、制御部６６が実行するプログラムや各種のデータを一時的に記憶し、演算処理等を行うためのワークエリアとして機能する。システムバス６９は、上記各部の間で命令やデータを転送するための伝送経路としての機能を有する。
【００４８】
［路車間通信について］
図５を用いて、図１における車載器２０と路側無線装置４０Ａ，４０Ｂとの間で行われる路車間通信のトランザクションについて説明する。図５に示すトランザクションは、車載機５の電源が投入された時点から、図２に示す路側無線装置４０Ａ，４０Ｂの通信エリアＺ内に車両１００に搭載された車載器２０が進入し、車載器２０が通信エリアＺ外に移動するまでの各部の通信処理を示している。車載器２０が通信エリアＺ内に進入することをエリアイン、通信エリアＺ外に出ることをエリアアウトと称する。
【００４９】
ステップＳ３００：車載器２０の電源が投入されると、主制御部２１の全体制御により、ナビゲーション部２３はＤＳＲＣ通信部２２にクライアントインフォメーションデータを書き込む。サプリメントインフォメーションもクライアントインフォメーションデータと合わせて通知される。
【００５０】
ステップＳ３０１：車載器２０を搭載した車両がエリアインすると、路側無線装置４０Ａ，４０Ｂと車載器２０の間でＰＵＳＨ型配信の通信を確立すべく、ＤＳＲＣ接続処理（たとえばＤＳＲＣ−ＳＰＦにおける認証処理）が行われる。ＤＳＲＣ接続処理として、ＤＳＲＣ−ＳＰＦにおける認証処理は、路側無線装置４０Ａ，４０ＢがＤＳＲＣ−ＳＰＦのプラットフォームを有する場合、車載器２０と路側無線装置４０Ａ，４０Ｂの間で認証処理を行い、認証されれば車載器２０はコンテンツやＵＲＬなどの情報を蓄積して、認証されなければ車載器２０から破棄する制御を行っている。
【００５１】
ステップＳ３０２：路側無線装置４０Ａ，４０ＢとＤＳＲＣ通信部２２は、ＤＳＲＣ接続処理が完了すると、情報提供サーバ６０およびナビゲーション部２３に対してそれぞれＤＳＲＣ接続通知を行う。
【００５２】
ステップＳ３０３：ＤＳＲＣ通信部２２は、路側無線装置４０Ａ，４０Ｂに対してナビゲーション部２３により書き込まれたクライアントインフォメーションデータを送信する。また、路側無線装置４０Ａ，４０Ｂは、上述したクライアントインフォメーションデータを情報提供サーバ６０に通知することができる。なお、このステップＳ１０３は、クライアント情報通知コマンドに相当する。
【００５３】
ステップＳ３０４：情報提供サーバ６０は、ステップＳ３０３で通知されたクライアントインフォメーションデータに基づき、車載器２０自体を一意に識別することができるＡＳＬ−ＩＤ等を用いた会員判別を行い、車載器２０が有する機能情報を解析して、車載器２０に適したコンテンツをマルチコンテンツフォーマットで編成して、路側無線装置４０Ａ，４０Ｂに受け渡す。情報提供サーバ６０は、クライアントインフォメーションデータから車載器２０で再生可能なコンテンツ又はＵＲＬなどの情報や車載器２０が記憶する機能が分かるため、最適なコンテンツを編成して配信することが可能となる。
【００５４】
また、情報提供サーバ６０は、車載器ＩＤ通知コマンド等を用いることにより、車載器２０固有のＩＤを取得することも可能であるため、車載器２０を特定することができる。例えば、情報提供サーバ６０と路側無線装置４０Ａ，４０Ｂとの双方または一方において、記憶する顧客データベース（図示せず）等と車載器２０の固有ＩＤとを照合するにより、車載器２０の搭載された車両１００を特定することも可能である。路側無線装置４０Ａ，４０Ｂは、受け取ったサービス情報を車載器２０のＤＳＲＣ通信部２２へ配信する。ＤＳＲＣ通信部２２は、ナビゲーション部２３にサービス情報を供給する。ＡＳＬ−ＩＤ等による会員判別の詳細については省略する。
【００５５】
ＰＵＳＨ型配信であるＤＳＲＣ通信においても、個人の趣味・嗜好等に即した個別のＰＵＳＨ型配信を可能にしている。また、このコンテンツやＵＲＬなどの情報は、車載器２０に一度、蓄積されて、特定の条件を満たした場合に、再生される仕組みとなっている。したがって、ＤＳＲＣ通信により情報を送受信するためには、その特定の通信エリア内に留まっていないと行うことができないが、受信した情報を蓄積して記憶させておくことで、エリア外でも情報を再生することが可能となる。更に、地域情報や広告情報などのコンテンツの再生タイミングを設定しておくことで、ユーザのニーズに合わせて情報を配信することを可能にしている。
【００５６】
ステップＳ３０５：情報提供サーバ６０は、ステップＳ３０４の処理以降、路側無線装置４０Ａ，４０Ｂを介して、後述するアップリンクタグエリアに情報が書き込まれていないかを確認するため、車載器２０に対して定期的にポーリングを行う。このポーリングによりアップリンクタグエリアに情報が書き込まれている情報を取得し、書き込まれていない場合には、更にポーリングを継続する。
【００５７】
ステップＳ３０６：ナビゲーション部２３は、ステップＳ３０４で受け取ったコンテンツからサービス事業者を判別して、サービス事業者用のアップリンク用のデータをＤＳＲＣ通信部２２の特定の領域としてのアップリンクタグエリアに書き込む。但し、ナビゲーション部２３は、サービス事業者用のアップリンク用のデータが存在しない場合や、そのサービス事業者の非会員である場合にはアップリンクタグエリアには原則としてアップリンク用データを書き込まない。ステップＳ３０６の後、公共の情報が情報提供サーバ６０から車載器２０に配信される。
【００５８】
ステップＳ３０７：ＤＳＲＣ通信部２２は、ステップＳ３０６においてアップリンクタグエリアに情報が書き込まれた場合には、その情報を路側無線装置４０Ａ，４０Ｂに通知する。ステップＳ３０７にて通知する情報をアップリンク情報と称する。路側無線装置４０Ａ，４０Ｂは、アップリンク情報を情報提供サーバ６０へ受け渡す。
【００５９】
ステップＳ３０８：情報提供サーバ６０は、ステップＳ３０７の処理以降、アップリンクタグエリアに情報が更新されていないかを確認するため、路側無線装置４０Ａ，４０Ｂを介して車載器２０に対して定期的にポーリングを行う。ポーリングによりアップリンクタグエリアの情報が更新されている場合には更新された情報を取得し、更新されていない場合には更にポーリングを継続する。
【００６０】
ステップＳ３０９：情報提供サーバ６０は、ステップＳ３０７によって、アップリンク情報を取得したときは、取得した情報に基づき、ユーザに適したコンテンツやＵＲＬなどの情報をマルチコンテンツフォーマットで編成して、路側無線装置４０Ａ，４０Ｂに配信する。路側無線装置４０Ａ，４０Ｂは、配信されたコンテンツをＤＳＲＣ通信部２２に送信する。ＤＳＲＣ通信部２２は、配信されたコンテンツやＵＲＬなどの情報を解析してナビゲーション部２３に適宜データを配信する。
【００６１】
ステップＳ３１０：情報提供サーバ６０は、ユーザに適したコンテンツの配信が終了したときは、その旨をＤＳＲＣ通信部２２に対して通知してエリアアウトを促す。これは、１台の車両が長時間に渡って通信エリアを占領すると、他の車両へのサービスができなくなるためである。但し、エリアアウトを促す通知は必須ではない。
【００６２】
なお、図５において、路側無線装置４０Ａ，４０Ｂを介して情報提供サーバ６０は車載器２０にコンテンツを配信しているが、これに限らず、路側無線装置４０Ａ，４０Ｂにてコンテンツを編成して車載器２０へ配信してもよい。
【００６３】
次に、図６を用いて、情報提供サーバ６０の送受信処理について説明をする。図６に示す送受信処理は、図５のステップＳ３０７に想到する。車載器２０の主制御部２１は、車載器２０の電源がオンになるとメモリ部２２Ｅに記憶されているアップリンク用情報生成プログラム２２Ｆを読み出す。これにより、ステップＳ４０１以降の処理が実行される。ステップＳ４０１以降の処理は、アップリンク用情報生成プログラム２２Ｆのアルゴリズムに従って実行される。
【００６４】
ステップＳ４０１：情報提供サーバ６０は、車載器２０と路側無線装置４０Ａ，４０ＢとのＤＳＲＣ接続処理が完了すると、路側無線装置４０Ａ，４０Ｂを介して車載器２０からクライアントインフォメーションデータを受信する。
【００６５】
ステップＳ４０２：情報提供サーバ６０は、受信したクライアントインフォメーションデータに含まれるサプリメントインフォ情報の解析を行う。サプリメントインフォ情報の詳細については図７で後述する。
【００６６】
ステップＳ４０３：情報提供サーバ６０は、サプリメントインフォ情報に基づいて車載器２０に対応したコンテンツを編成する。車載器２０の特性によって、表示できない形式のコンテンツが含まれる場合があるので、サプリメントインフォ情報から確実に車載器２０で表示できる形式のコンテンツに編成する必要がある。
【００６７】
ステップＳ４０４：情報提供サーバ６０は、車載器２０に対応したコンテンツにアクセスするためのＵＲＬ情報を含むコンテンツを路側無線装置４０Ａ，４０Ｂを介して車載器２０に送信する。車載器２０は、受信したコンテンツをメモリ部２５に蓄積して、ユーザによりコンテンツの表示指示がなされた場合に、メモリ部２２Ｅから読み出す。車載器２０は、コンテンツにＵＲＬ情報を表示させて、ＵＲＬの接続指示がなされた場合に、ＩＰ接続対応の路側無線装置４０Ｂを介してＩＰ接続により外部装置から取得したＩＰコンテンツを表示する。
【００６８】
なお、図６は、路側無線装置４０Ａ，４０Ｂを介した情報提供サーバ６０の処理について説明したが、これに限らず、路側無線装置４０Ａ，４０Ｂにて処理を実施してもよい。
【００６９】
図７にクライアントインフォメーションデータに含まれるサプリメントインフォ情報の一例を示す。
【００７０】
クライアントインフォメーションデータに含まれるサプリメントインフォ情報は、車載器２０が再生可能な対応言語５０１，５０２、サプリメントインフォ情報のバージョン情報５０３、測地系５０４、車載器２０の対応ＤＲＭ５０５、表示部２３Ｇの解像度５０６、ＳＶＧ（Scalable Vector Graphics）対応５０７、ナビ部蓄積可能容量５０８、「はい／いいえ」又は「ＹＥＳ／ＮＯ」などボタン意匠５０９、車載器２０の再生可能ＩＰコンテンツ対応状況５１０の情報等が含まれる。
【００７１】
特に、車載器２０は、図７の５１０のＩＰコンテンツ対応状況を路側無線装置４０Ａ，４０Ｂに通知することで、対応可能なコンテンツ形式の詳細を通知することができる。路側無線装置４０Ａ，４０Ｂ又は情報提供サーバ６０は、通知されたコンテンツ形式のみで構成されたコンテンツを編成することで、車載器２０は確実に表示部２３ＧにてＩＰコンテンツの再生が可能になる。
【００７２】
図８を用いて、ＩＰコンテンツで使用されるコンテンツ形式の一例を示す。
【００７３】
番号１から番号１５は「ｔｅｘｔ」情報に関する項目である。番号１６から番号３１は「ｉｍａｇｅ」に関する項目である。番号３２から番号４７は「ａｕｄｉｏ」に関する項目である。番号４８から番号６３は「ｖｉｄｅｏ」に関する項目である。番号６４から番号７９は「ｍｅｓｓａｇｅ」に関する項目である。番号８０から番号９５は「ａｐｐｌｉｃａｔｉｏｎ」に関する項目である。番号９６から番号１２７は「ｍｕｌｔｉｐａｒｔ」に関する項目である。番号１２８から番号１３３は「ｄｓｒｃ」に関する項目である。番号１３４から番号２３９は「ｏｔｈｅｒ  Ｔｙｐｅ」の項目である。なお、番号０、番号２４０から番号２５５は「未定義」の項目であり、情報が増えた場合に追加可能な項目である。
【００７４】
図９を用いて、車載器２０のナビゲーション部２３に記憶されているサプリメントインフォ情報のＩＰコンテンツ対応状況の一例を示す。なお、図９は一例であり、記憶しているコンテンツ形式は図８全てを記憶している車載器２０もあれば、一部を記憶している車載器２０もある。
【００７５】
図９の６０１に示す「ｉｍａｇｅ−ｊｐｅｇ」形式（番号１７）は、さらに詳細に「基本ＤＣＴ」「ｐｒｏｇｒｅｓｓ」「ＪＰＥＧ  ２０００」「ロスレス」「ＪＰＥＧ  ＸＲ」の項目がある。図９の例において、車載器２０は、「ｉｍａｇｅ−ｊｐｅｇ」形式の中で、「ｐｒｏｇｒｅｓｓ」および「ロスレス」形式に対応している場合は、７ｂｉｔおよび５ｂｉｔのフラグが「１」になるので、「０１０１００００」を記録する。
【００７６】
他も同様に、図９の６０２に示す「ｉｍａｇｅ−ｇｉｆ」形式（番号１８）は、「透過」形式に対応している場合に、７ｂｉｔのフラグが「１」になるので、「０１００００００」とサプリメントインフォ情報に記録する。図９の６０３に示す「ｉｍａｇｅ−ｂｍｐ」形式（番号１９）は、「パレット」形式に対応している場合に、８ｂｉｔのフラグが「１」になるので、「１０００００００」とサプリメントインフォ情報に記録する。図１１の６０４に示す「ｉｍａｇｅ−ｐｎｇ」形式（番号２１）は、「透過」および「アニメ」形式に対応している場合に、６ｂｉｔおよび５ｂｉｔのフラグが「１」になるので、「００１１００００」とサプリメントインフォ情報に記録する。
【００７７】
次に、図１０を用いて、図６のステップＳ４０３のコンテンツの編成処理について説明する。
【００７８】
ステップＳ７０１：情報提供サーバ６０は、車載器２０から送信されたサプリメントインフォ情報から対応するコンテンツ形式を解析する。ここでは、図９を用いて説明する。車載器２０に記憶されている「ｉｍａｇｅ−ｊｐｅｇ」形式（番号１７）は、「０１０１００００」なので、「ｐｒｏｇｒｅｓｓ」及び「ロスレス」形式に対応している。
【００７９】
ステップＳ７０２：情報提供サーバ６０は、車載器２０から受信したサプリメントインフォ情報の解析したコードと１つでも同じコードのコンテンツがあるか否か判定する。同じコードのコンテンツが１つもない場合は、Ｓ７０６の処理へ移行する。同じコードのコンテンツが１以上ある場合は、Ｓ７０３へ移行する。
【００８０】
ステップＳ７０３：情報提供サーバ６０は、車載器２０から受信したサプリメントインフォ情報の解析したコードと全て同じ（一致する）コードのコンテンツがあるか否か判定する。全て同じコードのコンテンツがある場合はＳ７０４へ移行する。一部のコードが同じコンテンツがある場合は、Ｓ７０５へ移行する。
【００８１】
ステップＳ７０４：情報提供サーバ６０は、車載器２０から受信したサプリメントインフォ情報の解析したコードに対応するコンテンツを編成する。
【００８２】
ステップＳ７０５：情報提供サーバ６０は、車載器２０から受信したサプリメントインフォ情報の解析したコードと近いコードのコンテンツを選択して編成する。近いコードのコンテンツの選択は、例えば図１１のＤ８００のようなテーブルを予め設定しておき、その中から選択する。
【００８３】
図１１は、同じコンテンツでもコンテンツ形式が異なる複数のコンテンツを予め設定している場合のテーブルの一例である。
【００８４】
ステップＳ７０５では、情報提供サーバ６０が車載器２０から受信したサプリメントインフォ情報から一番近いコンテンツを選択する。例えば、図１１の８０１は一番容量が大きい第一コンテンツであり、「ｔｅｘｔ−ｈｔｍｌ」「ｉｍａｇｅ−ｊｐｅｇ」「ｉｍａｇｅ−ｇｉｆ」「ａｕｄｉｏ」「ｖｉｄｅｏ」「ｄｓｒｃ」のコンテンツ形式を有するコンテンツである。さらに詳細な項目については省略する。以下、次に容量が大きいのは第２コンテンツ８０２、さらに次に容量が大きいのは第３コンテンツ８０３、一番容量が小さい第４コンテンツ８０４というように設定されている。
【００８５】
情報提供サーバ６０は、テーブルＤ８００から車載器２０が確実に表示できるような近いコンテンツを選択して、車載器２０にこのコンテンツにアクセスするためのＵＲＬを含んだコンテンツを送信する。
【００８６】
ステップＳ７０６：情報提供サーバ６０は、コンテンツに１つも同じコードがなければ、最低限のコンテンツ（例えば、テキスト情報のみ）を編成して、ＩＰ接続可能なＵＲＬを含んだコンテンツを車載器２０に対して送信する。
【００８７】
図１２は、車載器２０が受信したコンテンツの一例である。車載器２０は、対応したコンテンツを読み出してコンテンツに対応するＩＰ接続を行う場合に、表示部２３Ｇに表示されたアイコンの「ネットワークに接続」９０１を選択することで、対応したＷｅｂページにアクセスする。そのため、車載器２０は、表示可能なＩＰコンテンツへの接続が可能になる。
【００８８】
以上のように、本発明によれば、車載器２０が表示可能なコンテンツ形式の詳細をアップリンクすることで、情報提供システムは通知されたコンテンツ形式で構成されたＩＰコンテンツを配信することができる。
【００８９】
また、情報提供サーバ６０は、予め配信するコンテンツの形式違いを複数編成しておくことで、車載器２０が表示可能なコンテンツ形式と一致するコンテンツがなくても、一番近いコンテンツを配信することで確実にユーザは再生できる。
【００９０】
上記実施の形態における情報提供システム１０及びこれを構成する各装置の細部構成および詳細動作に関しても、本発明の趣旨を逸脱しない範囲で適宜変更可能である。
【００９１】
また、上記の実施の形態では、主に道路沿いに設置される路側無線装置４０Ａ，４０Ｂを用いている。この他にも例えば、駐車場などに設置される通信機能を備えた無線装置を用いてもよい。
【００９２】
また、上記実施の形態に係る情報提供システム１０におけるトランザクションでは、図５に示すように、アップリンク情報の通知後にアップリンク情報の更新有無を確認するポーリングを行っている。この他にも例えば、アップリンク情報の通知後にＶＩＣＳフォーマットによる公共情報などのデフォルトコンテンツを情報提供サーバ６０が配信してもよい。
【００９３】
また、上記実施の形態の情報提供システム１０が有する各構成ブロックの機能は、全てまたはその一部をソフトウエアによって実現しても、あるいはその少なくとも一部をハードウエアで実現してもよい。例えば、制御部２１、６６における処理の全てまたはその一部は、１または複数のプログラムによりコンピュータ上で実現しても良く、その少なくとも一部をハードウエアで実現してもよい。
【００９４】
また、例えば車載器２０を装置の全部または一部として動作させるためのコンピュータプログラムを、メモリーカード、ＣＤ（Compact Disc）、ＤＶＤ（Digital Versatile Disc）、ＭＯ（Magneto-Optical）等のコンピュータ読み取り可能な記録媒体に格納して配布し、これを別のコンピュータ、例えば携帯電話、オーディオ機器、電子時計等にインストールし、車載器２０として動作させ、あるいは、車載器２０が行う工程を実行させてもよい。さらに、インターネット上のサーバ装置が有するディスク装置等にプログラムを格納しておき、例えば搬送波に重畳させて、車載器２０となるコンピュータにダウンロード等するものとしてもよい。
【符号の説明】
【００９５】
１０      情報提供システム
２０      車載器
２２      ＤＳＲＣ通信部
２３      ナビゲーション部
４０Ａ，４０Ｂ  路側無線装置
６０      情報提供サーバ
１００    車両
１００ａ  ＩＴＳ通信網
１００ｂ  一般通信網
【図１】
0005716574.tif 000002
【図２】
0005716574.tif 000003
【図３】
0005716574.tif 000004
【図４】
0005716574.tif 000005
【図５】
0005716574.tif 000006
【図６】
0005716574.tif 000007
【図７】
0005716574.tif 000008
【図８】
0005716574.tif 000009
【図９】
0005716574.tif 000010
【図１０】
0005716574.tif 000011
【図１１】
0005716574.tif 000012
【図１２】
0005716574.tif 000013